(57)【要約】【課題】  アンカーボルトに作用した水平力を減殺、あるいは分散して基礎コンクリートに作用させ、ひび割れ、剥落を防止し、作業性も良い建築物基礎部構造を提供することを目的としている。【解決手段】  基礎１０に一部が埋設され、残部が突出したアンカーボルト２０，２３に土台３０を貫通させ、ナット２１、２６で固定した建築物基礎部構造において、アンカーボルト２０，２３に導入張力Ｔを発生させるようにナット２１，２６を締め付け固定し、基礎１０と土台３０との間に摩擦抵抗力Ｆを発生させた建築物基礎構造としている。【選択図】  図２ 
2005290931.tif 000002
【特許請求の範囲】
【請求項１】
基礎に一部が埋設され、残部が突出したアンカーボルトに土台を貫通させ、ナットで固
定した建築物基礎部構造において、
前記アンカーボルトに導入張力を発生させるように前記ナットを締め付け固定し、前記
基礎と前記土台との間に摩擦抵抗力を発生させたことを特徴とする建築物基礎構造。
【請求項２】
請求項１において、前記アンカーボルトの下方先端部にコンクリートで埋設固定される
アンカー部を形成し、該アンカー部より上方の前記アンカーボルトと前記基礎との間に空
間を形成し、たことを特徴とする建築物基礎部構造。
【請求項３】
請求項２において、前記前記空間には力を吸収する材料で充填されていることを特徴と
する建築物基礎構造。
【請求項４】
請求項２又は３において、前記アンカーボルトに高張力鋼ボルトを用い、大きく且つリ
ラクセーションの確保された導入張力を発生させていることを特徴とする建築物基礎構造
。
【請求項５】
請求項２〜４のいずれか１項において、前記アンカー部は定着プレートとナットで構成
されていることを特徴とする建築物基礎構造。
【発明の詳細な説明】
【技術分野】
【０００１】
この発明は、基礎に土台を固定する、より詳しくは、基礎に一部が埋設され、残部が突
出したアンカーボルトに土台を貫通させ、ナットで固定する建築物基礎部構造に関するも
のである。
【背景技術】
【０００２】
従来、この種の技術は、特許文献１に示すようなものがある。これによれば、アンカー
ボルトの下端に円盤状の大きな受けを取り付け、この受けの上で前記アンカーボルトの周
囲にスパイラル筋を所定位置に配置し、コンクリート基礎を打設し、このアンカーボルト
に土台を貫通させて組み付けることが開示されている。ナットでの組み付けについて記載
されていないが、通常行われるとおりで 、土台が浮き上がらず、ナットが緩まない程度
に締め付けされているに過ぎない。
【特許文献１】特開２００３−２９３３７９号公報
【発明の開示】
【発明が解決しようとする課題】
【０００３】
しかしながら、このような技術では、地震や風による水平力がアンカーボルトに作用し
、アンカーボルトはそれ自身がそのままコンクリートに集中的に作用する。それでも、ス
パイラル筋によって確かにコンクリート基礎のひび割れを防止することはできるが、スパ
イラル筋の部品管理や打設作業が大変であり、また打設時にコンクリートの回り込みが十
分でないと基礎強度が弱くなる可能性がある。
【０００４】
そこで、この発明は、上記問題に鑑みてアンカーボルトに作用した水平力をそれ自身が
そのままコンクリートに集中的に作用することを減殺し、分散して基礎コンクリートに作
用させ、ひび割れ、剥落を防止し、作業性も良い建築物基礎部構造を提供することを目的
としている。
【課題を解決するための手段】
【０００５】
この目的を達成するため、請求項１の発明は、基礎に一部が埋設され、残部が突出した
アンカーボルトに土台を貫通させ、ナットで固定した建築物基礎部構造において、前記ア
ンカーボルトに導入張力を発生させるように前記ナットを締め付け固定し、前記基礎と前
記土台との間に摩擦抵抗力を発生させたことを特徴とする建築物基礎構造としている。
【０００６】
また、請求項２の発明は、請求項１において、前記アンカーボルトの下方先端部にコン
クリートで埋設固定されるアンカー部を形成し、該アンカー部より上方の前記アンカーボ
ルトと前記基礎との間に空間を形成したことを特徴とする建築物基礎部構造としている。
【０００７】
また、請求項３の発明は、請求項２において、前記前記空間には力を吸収する材料で充
填されていることを特徴とする建築物基礎構造としている。
【０００８】
また、請求項４の発明は、請求項２又は３において、前記アンカーボルトに高張力鋼ボ
ルトを用い、大きく且つリラクセーションの確保された導入張力を発生させていることを
特徴とする建築物基礎構造としている。
【０００９】
さらに、請求項５の発明は、請求項２〜４のいずれか１項において、前記アンカー部は
定着プレートとナットで構成されていることを特徴とする建築物基礎構造としている。
【発明の効果】
【００１０】
請求項１の発明によれば、アンカーボルトに積極的に導入張力を発生させるナットの締
め付けを行い、摩擦抵抗力を発生させ、水平力をコンクリートに分散させることができる
。
【００１１】
請求項２の発明によれば、請求項１の効果に加え、アンカーボルトはその下方先端部を
除き直接に基礎コンクリートに力を及ぼさない。土台に作用する水平力は摩擦抵抗力を介
して基礎に分散して作用するので、一層、ひび割れ現象は生じにくい。
【００１２】
請求項３の発明によれば、上記請求項１又は２の効果に加え、アンカーボルトとコンク
リート打設の際の空間確保が容易に行うことができる。
【００１３】
請求項４の発明によれば、請求項１乃至３の効果に加え、高張力鋼製のボルトを使い地
震や風による水平力に十分対処することができる。
【００１４】
請求項５の発明によれば、請求項１から４の発明の効果に加え、簡単な市販部品が使え
、しかも深さ方向の装着位置が調整できる。
【発明を実施するための最良の形態】
【００１５】
以下、図面に基づいてこの発明を説明する。
【００１６】
図１は、アンカーボルトを直接コンクリートが接触するように埋設した建築物基礎部構
造を示しており、図２はアンカーボルトの下方先端部を除きコンクリートと接触しないよ
うに空間を介してアンカーボルトを埋設している建築物基礎部構造を示している。
【００１７】
図中１０は、コンクリート製の基礎であり、必要に応じて図示しない鉄筋が配設されて
いる。この基礎１０に一部が埋設され、残部が突出したアンカーボルト２０が設けられて
おり、このアンカーボルト２０に土台３０を貫通させ、ナット２１でワッシャ２２を介し
て締め付け固定して建築物基礎部構造となっている。
【００１８】
アンカーボルト２０は、図１で示すように、基礎１０の中で丸棒が下端を曲げられて抜
けにくくされており、基礎の上方に突出した部分にはネジが切られている。一方、図２で
示すアンカーボルト２３は、真っ直ぐな丸棒で、全体にあるいは両端にネジが切られてい
る。このアンカーボルト２３の下方先端部には、基礎の中に埋設してコンクリートに取り
巻かれ上方に抜けないアンカー部２４を形成している。これらアンカーボルト２０，２３
に、例えば引張強度１０トン／ｃｍ２の高張力鋼ボルトでＭ１２（ネジ径１２ミリメート
ル）を用い、導入張力Ｔに５トンを発生させている。このように、導入張力が大きくリラ
クセーションの確保された高張力鋼製のボルトを使うことによって地震や風による水平力
に十分対処することができる。
【００１９】
また、アンカーボルト２３の下方先端部にコンクリートで埋設固定されるアンカー部２
４を形成し、このアンカー部２４より上方のアンカーボルト２３と基礎１０との間に空間
１１を形成している。
【００２０】
ここにアンカー部２４は、ねじ切りされたアンカーボルトの下方先端部に遊嵌させる定
着プレート２５とナット２６とから構成されている。この定着プレート２５は、矩形、多
角形あるいは円形の板状体等形状を限定されるものではないが、導入張力Ｔに対し、抜け
たり、変形したりしない大きさや強度が必要である。この定着プレート２５やナット２６
は、簡単な市販部品をも使え、しかも深さ方向の装着位置が調整できる。
【００２１】
また、この空間１１は、そのままでも良いが、テープ、発泡ポリエチレン等、力を吸収
する材料で充填されていて、コンクリートとの付着をやめ、力の伝達を阻止している。コ
ンクリートの打設時にアンカーボルト２３に上記テープ、発泡ポリエチレン等を巻いてお
くと、アンカーボルト２３とコンクリート打設の際の空間１１の確保が容易にできる。
【００２２】
土台３０は、建物の躯体の一部を構成し、一番下で基礎と固定させられており、鋼製の
チャンネル材や木材等が使われている。ここでは、土台３０は、一部が示された鋼製チャ
ンネル材で、その内側に補強板３１が溶接で取り付けられている。
【００２３】
アンカーボルト２０，２３に導入張力Ｔを発生させるようにナット２１，２６を締め付
け固定し、基礎１０と土台３０との間に、その間の摩擦係数により、摩擦抵抗力Ｆを発生
させている。この導入張力Ｔは、基礎１０の上に土台３０を載せて単に固定している程度
でなく、かなり大きな力、例えば、図１でコンクリートに付着して埋設されたアンカーボ
ルト２０が初期の付着が切れるような力、で締め付けることにより、大きな摩擦抵抗力Ｆ
を発生させるものである。この図１の場合でも、アンカーボルト２０の上半部にテープや
発泡ポリエチレンを巻いておくと、導入張力を問題なく付与することができる。
【００２４】
このような導入張力Ｔで締め付け固定された土台３０の建築物基礎部構造に、地震や風
などの水平力Ｐが作用したとき、導入張力Ｔに摩擦係数（例えば０．４）を乗じた大きさ
の摩擦抵抗力Ｆを減じた力が、土台３０から基礎１０に作用する。
【００２５】
図１の建築物基礎部構造の場合は、アンカーボルト２０から集中的にコンクリートに作
用するが、水平力Ｐが弱められた上、基礎１０の上面を面で押さえており、ひび割れなど
発生しにくい。
【００２６】
図２の建築物基礎部構造の場合は、アンカーボルト２３の下方先端部を除き直接に基礎
コンクリート１０に力を及ぼさない。土台３０から摩擦抵抗力Ｆを介した力が、基礎１０
に分散して作用するので、コンクリート１０のコーン破壊現象は生じにくい。
【図面の簡単な説明】
【００２７】
【図１】この発明の建築物基礎部構造の要部断面図である。
【図２】この発明の他の建築物基礎部構造の要部断面図である。
【符号の説明】
【００２８】
１０                  基礎
１１                  空間
２０、２３            アンカーボルト
２１，２６            ナット
２４                  アンカー部
２５                  定着プレート
３０                  土台
Ｐ                    水平力      
Ｔ                    導入張力    
Ｆ                    摩擦力
【図１】
2005290931.tif 000003
【図２】
2005290931.tif 000004